(57)【要約】　　　（修正有）【課題】使用済の針先に血液が付着している内針が医師、看護人、廃棄物処理業者等の指や手に誤って刺さり、ＨＢＶ、ＨＣＶ、ＨＩＶ等に感染する危険の無い安全機構付き留置針及び採血用器具を提供する。【解決手段】内針部２と、内針部を出し入れ自在に収納するケース部３と、内針部とケース部との間に取り付けられたバネ４と、バネを係止・解放するストッパーと、を有し、内針部をケース部から突出させているときには、バネが内針部を後退させケース部に収納されるように付勢されているとともに、ストッパーが係止状態であり、ストッパーによってバネが係止され、利用者が操作してストッパーを解放した時には、バネが解放され、バネ力によって内針部が後退し、ケース部の中に収納され、内針部の針先がケース部の中に保持される、留置針１及び採血用器具である。【選択図】図５
2004049607.tif 000002
【特許請求の範囲】
【請求項１】
内針部と、内針部を出し入れ自在に収納するケース部と、内針部とケース部との間に取り付けられたバネと、バネを係止・解放するストッパーと、を有し、内針部をケース部から突出させているときには、バネが内針部を後退させケース部に収納されるように付勢されているとともに、ストッパーが係止状態であり、ストッパーによってバネが係止され、
利用者が操作してストッパーを解放した時には、バネが解放され、バネ力によって内針部が後退し、ケース部の中に収納され、内針部の針先がケース部の中に保持される、
留置針。
【請求項２】
注射針部と、注射針部を出し入れ自在に収納するケース部と、注射針部とケース部との間に取り付けられたバネと、バネを係止・解放するストッパーと、を有し、注射針部をケース部から突出させているときには、バネが注射針部を後退させケース部に収納されるように付勢されているとともに、ストッパーが係止状態であり、ストッパーによってバネが係止され、
利用者が操作してストッパーを解放した時には、バネが解放され、バネ力によって注射針部が後退し、ケース部の中に収納され、注射針部の針先がケース部の中に保持される、
採血用器具。
【発明の詳細な説明】
【０００１】
【産業上の利用分野】
本発明は、ヒトまたは動物用の留置針に関する。また、本発明はヒトまたは動物用の採血用器具に関する。
【０００２】
【従来の技術及び発明が解決しようとする課題】
医療機関において、留置針の内針を誤って刺してＨＢＶ、ＨＣＶ、ＨＩＶなどの病原体に感染する事故が起き問題となっている。このような針刺し事故の対策法の１つとして、安全機構付き留置針や安全機構付き採血用器具の開発が行われている。
【０００３】
図１１は第１の従来の留置針の概略図である。（ａ）は全体概略図であり、（ｂ）は患者の静脈血管に刺し込んだ後に、外針（キャセーター）６を留置し、内針部２を抜き去った状態を示す説明図であり、（ｃ）はスライドシャッター８を側方へ最後まで押し込むことを示す使用説明図であり、（ｄ）はその後に、ゆっくりとケース部３を起こし垂直とし、内針部２をケース内に落下させることを示す使用説明図であり、（ｅ）は内針部２がケース部３の中に収納されたことを確認する説明図であり、（ｆ）はスライドシャッター８を逆方向へ押し込み、ケース部３を密閉することを示す使用説明図である。
【０００４】
しかしながら、ケース部３を持ったままで、スライドシャッター８を側方へ押し込む操作は容易ではない。もし、片手でケース部３を持ち、他の手でスライドシャッター８を押し込むと、外針（キャセーター）６を放置することになり、その間に留置針の外針（キャセーター）６の後端からは血液が流出しつづけ、医師や看護人など医療従事者が慌てたり、患者が不安になり問題である。
【０００５】
また、スライドシャッター８を押し込み開いただけでは内針部２がケース部３の中に収納されない。留置針の向きを変えてケース３部を起こし垂直にすると、内針部２が自重によってケース部の中に落下する構造であり、操作が煩雑であるという問題がある。また、内針部２がケース部３の中に収納された後であっても、再びスライドシャッター８を開き、ケース部３を倒立させると、内針部２は自重で落下し、内針が突出してしまうので、使用済であって針先に血液が付着している内針が医師、看護人、廃棄物処理業者等の指や手に誤って刺さり、ＨＢＶ、ＨＣＶ、ＨＩＶ等に感染する危険があり問題である。
【０００６】
図１２は第２の従来の留置針の概略図である。（ａ）は使用前の全体概略図であり、（ｂ）は患者の静脈血管に刺し込んだ後に、外針（キャセーター）のみを留置し、内針を抜き去り、内針のカバー部を螺合部に対して回転し、ねじ取めを緩めることを示す説明図であり、（ｃ）はカバー部と螺合部との螺合を完全に解除した後に、カバー部を順々にスライドさせ、伸ばして、内針の針部をカバー部の内部に完全に収納した状態を示す説明図である。
【０００７】
しかしながら、内針部２を持ちながら、カバー部９０をねじって回転させたり、螺合を解除後にカバー部９０をスライドさせ伸ばす操作は片手では極めて困難である。両手でこれらの操作を行うと、外針６の後端から血液が流れ出し、医師や看護人は慌て急いで操作したり、患者が不安になり問題である。
【０００８】
【課題を解決するための手段】
上記問題点は、請求項１に記載の本発明に係る留置針、すなわち、内針部と、内針部を出し入れ自在に収納するケース部と、内針部とケース部との間に取り付けられたバネと、バネを係止・解放するストッパーと、を有し、内針部をケース部から突出させているときには、バネが内針部を後退させケース部に収納されるように付勢されているとともに、ストッパーが係止状態であり、ストッパーによってバネが係止され、利用者が操作してストッパーを解放した時には、バネが解放され、バネ力によって内針部が後退し、ケース部の中に収納され、内針部の針先がケース部の中に保持される、留置針によって、解決される。
【０００９】
また、上記問題点は、請求項２に記載の本発明に係る採血用器具、すなわち、内針部と、内針部を出し入れ自在に収納するケース部と、内針部とケース部との間に取り付けられたバネと、バネを係止・解放するストッパーと、を有し、内針部をケース部から突出させているときには、バネが内針部を後退させケース部に収納されるように付勢されているとともに、ストッパーが係止状態であり、ストッパーによってバネが係止され、利用者が操作してストッパーを解放した時には、バネが解放され、バネ力によって内針部が後退し、ケース部の中に収納され、内針部の針先がケース部の中に保持される、採血用器具によっても、解決される。
【００１０】
【発明の実施の形態】
以下、本発明にかかる留置針の複数の実施形態について、添付図面を参照して、詳細に説明する。
【００１１】
第１実施形態
図１は第１実施形態の留置針の概略図であり、（ａ）は正面図であり、（ｂ）は側面図であり、（ｃ）は平面断面図である。留置針１は、内針部２と、ケース部３と、バネ４と、バネを係止する係合弾性片２１６を押圧する押圧具５と、を有している。
【００１２】
内針部２は、軸部２１と金属製注射針２２とからなる。軸部２１はおおむね中空円筒形であり、その外径はケース部３の内径よりわずかに小さく、液密を保ったまま軸部２１はケース部の中を中心軸方向へ自由に移動することができる。軸部２１の一端２１１に、中心軸を一致させて、金属製注射針２２が突出して取り付けられている。そして、金属製注射針２２の内部の中空管と軸部２１の中空部２１２は連通している。よって、内針部２の金属製注射針２２の先端が患者の静脈血管内に到達すると、血液が逆流して、金属製注射針２２の内部を通って、軸部２１の中空部２１２に到達する。軸部２１やケース部３を透明な材料で構成すると、医師や看護人は目視によって逆流した血液を確認することができ、金属製注射針２２の先端が患者の静脈血管内に到達したことを間接的に確認することができる。軸部２１の他端２１４から中空部２１２の中へはごみやほこりの侵入を防ぐためのフィルター２１５が挿入され固定されている。また、軸部２１の中心軸方向の中央近くの外側面には、バネ４の一端４１と当接し支持する段差２１３が形成されている。さらに、軸部２１の他端２１４の近くには、ケース部３の側面に形成された嵌合孔３１と係合する係合弾性片２１６を備えており、半径方向の外向きに張り出すように付勢されている。
【００１３】
ケース部３は中空円筒状であり、中心軸方向の中央嵌合孔３１が形成されており、図１（ａ）、（ｃ）に示す状態では、内針部２の軸部２１に取り付けてある係合弾性片２１６の自由端２１７が嵌合孔３１の内部に侵入し係合している。また、ケース部３の側面には押圧具５が取り付けられ、操作者が指でレバー５を押すことによって、レバー５の先端５１が係合弾性片２１６を押圧し、係合弾性片２１６の自由端が半径方向の内向き（中心向き）に移動させる。すると、係合弾性片２１６の自由端と嵌合孔３１との係合が外れる。また、ケース部３の一端３２近くの内側面にはバネ４の他端４２と当接し支持する段差３３が形成されている。ケース部３の一端３２には、図１（ａ）、（ｃ）に示す状態では、内針部２の金属注射針２２が突出している。ケース部３の他端３４は、内針部２が飛び出すのを防止するために、底３５が取り付けてある。なお、内針部２の移動を容易にするため、ケース部３には貫通孔３６が形成されており、ケース部３の内部の空気が外へ流出可能となっている。貫通孔３６はケース部３の側面に形成されていてもよい。
【００１４】
図１（ａ）、（ｃ）に示す状態では、バネ４は圧縮されており、バネ４は伸びて初期長さに戻ろうとするので、内針部２には、ケース部３の中へ移動し収納するようにバネ力が作用している。
【００１５】
内針部２の金属製注射針２２には、外針６が外からかぶさるように嵌め込まれている。外針６の樹脂製のチューブ針６１の先端からは、内針部２の金属製注射針２２の先端がわずかに突出している。
【００１６】
さらに、ケース部３の一端３２には、キャップ７が気密に取り付けられており、留置針の滅菌状態を保持している。
【００１７】
図２は第１実施形態の留置針について、キャップを取り外した状態を示す説明図である。不図示のシールを破って、キャップ７を中心軸方向へ引張るとキャップ７が外れ、内針部２の金属注射針２２及び外針６が現れる。
【００１８】
図３は第１実施形態の留置針について、外針を取り外した状態を示す説明図である。キャップ７を取り外した後に、患者の皮膚に金属製注射針２２を刺しさらに押し込んで外針６を刺し込む。外針６の先端が患者の静脈血管に到達したら、外針６の先端近くを指先で押さえつつ、内針部２を引き抜く。すると、外針６は患者の静脈血管に刺し込んだままで、内針部２など留置針本体と外針６とが分離する。
【００１９】
図４は第１実施形態の留置針について、使用後に内針部をケース部の中に収納した状態を示す説明図である。レバー５を指先で押すことによって、レバーの先端が係合弾性片を押圧し、中心軸方向へ移動させる。すると、係合弾性片の自由端とケース部の嵌合孔との係合が外れ、圧縮されていたバネ４は自由になり伸び、内針部２を中心軸方向へ移動させて、ケース部３の内部に収納する。その後は、バネ４によって、内針部２がケース部３の外に突出しなくなる。
【００２０】
第２実施形態
図５は第２実施形態の留置針について、未使用時状態を示す説明図であり、（ａ）は正面断面図であり、（ｂ）は側面図であり、（ｃ）は平面断面図である。
【００２１】
留置針１は、内針部２と、ケース部３と、バネ４と、バネ４に抗して内針部２を収納位置から突出位置へ移動するとともにバネを係止する係合弾性片を押圧するレバー５と、を有している。
【００２２】
内針部２は、軸部２１と金属製注射針２２とからなる。軸部２１はおおむね中空円筒形であり、その外径はケース部３の内径よりわずかに小さく、液密を保ったまま軸部２１はケース部の中を中心軸方向へ自由に移動することができる。軸部２１の一端２１１に、中心軸を一致させて、金属製注射針２２が突出して取り付けられている。そして、金属製注射針２２の内部の中空管と軸部２１の中空部２１２は連通している。よって、内針部２の金属製注射針２２の先端が患者の静脈血管内に到達すると、血液が逆流して、金属製注射針２２の内部を通って、軸部２１の中空部２１２に到達する。軸部２１やケース部３を透明な材料で構成すると、医師や看護人は目視によって逆流した血液を確認することができ、金属製注射針２２の先端が患者の静脈血管内に到達したことを間接的に確認することができる。また、軸部２１の中心軸方向の中央近くの外側面には、バネ４の一端４１と当接し支持する段差２１３が形成されている。
【００２３】
ケース部３は中空円筒状であり、側面には側線方向に伸びる貫通溝３７が形成されており、内針部２に取り付けられたレバー５は貫通溝３７に沿って移動することができる。また、貫通溝３７の延長上にレバー５の先端５１と係合する係合穴３８が形成されている。操作者は、レバー５を貫通溝３７に沿って一端３２の方向へ指で押したり、レバー５のクリップ部５２を指でつまんで、動かすことによって、内針部２を収納位置から突出位置へ移動することができ、内針部２が突出位置に達すると、レバー５の先端５１はケース部３の係合穴３８に嵌まり係合する。レバー５の先端５１とケース部３の係合穴３８とが係合しているときには、内針部２は突出位置に保たれている。また、レバー５のクリップ部５２をケース部の中心軸方向へ指で押すと、レバー５の連結部５３を支点として、わずかに回転し、レバー５の先端５１はケース部の中心軸とは反対方向へわずかに移動して、レバー５の先端５１はケース部３の係合穴３８から抜け出し、係合が解かれる。ケース部３の一端３２近くの内側面には、バネ４の他端４２と当接し支持する段差３３が形成されている。ケース部３の他端３４は、内針部２が飛び出すのを防止するために、底３５が取り付けてある。なお、内針部２の移動を容易にするために、ケース部３には貫通孔３６が形成されており、ケース部３の内部の空気が外へ流出可能となっている。貫通孔３６はケース部３の側面に形成されていてもよい。
【００２４】
図６は第２実施形態の留置針について、キャップを取り外し、内針部を突出位置とした状態を示す説明図である。不図示のシールを破って、キャップ７を中心軸方向へ引張るとキャップ７が外れ、内針部２の金属注射針２２及び外針６が現れる。次に、レバー５のクリップ部５２を指でつまんでケース部３の貫通溝３７に沿って一端３２の方向へ動かすことによって、内針部２を収納位置から突出位置へ移動する。内針部２が突出位置に達すると、レバー５の先端５１はケース部３の係合穴３８に嵌まり係合する。同時に、バネ４は圧縮され、収納位置に戻るように内針部２にバネ力が作用する。
【００２５】
図７は第２実施形態の留置針について、外針を取り外した状態を示す説明図である。キャップ７を取り外した後に、患者の皮膚に金属製注射針２２を刺しさらに押し込んで外針６を刺し込む。外針６の先端が患者の静脈血管に到達したら、外針６の先端近くを指先で押さえつつ、内針部２を引き抜く。すると、外針６は患者の静脈血管に刺し込んだままで、内針部２など留置針本体と外針６とが分離する。
【００２６】
図８は第２実施形態の留置針について、使用後に内針部をケース部の中に収納した状態を示す説明図である。レバー５のクリップ部５２をケース部の中心軸方向へ指で押すと、レバー５の連結部５３を支点として、わずかに回転し、レバー５の先端５１はケース部の中心軸とは反対方向へわずかに移動して、レバー５の先端５１はケース部３の係合穴３８から抜け出し、係合が解かれる。すると、バネ４は元の長さに戻ろうとし、内針部２を引き戻し収納位置に戻すようにバネ力が作用する。
【００２７】
使用後の収納位置においては、内針部２の金属製注射針２２の先端は完全にケース部３の中に納まり、誤って針先を刺す危険がほとんどなくなる。さらに安全を期すために、キャップ７を再び被せることが好ましい。
【００２８】
第３実施形態
図９は第３実施形態の留置針について、未使用時状態を示す説明図であり、（ａ）は正面断面図であり、（ｂ）は側面図であり、（ｃ）は平面断面図である。
【００２９】
留置針１は、内針部２と、ケース部３と、バネ４と、バネ４に抗して内針部２を収納位置から突出位置へ移動するとともにバネを係止する係合弾性片を押圧するレバー５と、を有している。
【００３０】
内針部２は、軸部２１と金属製注射針２２とからなる。軸部２１はおおむね中空円筒形であり、その外径はケース部３の内径よりわずかに小さく、液密を保ったまま軸部２１はケース部の中を中心軸方向へ自由に移動することができる。軸部２１の一端２１１に、中心軸を一致させて、金属製注射針２２が突出して取り付けられている。そして、金属製注射針２２の内部の中空管と軸部２１の中空部２１２は連通している。よって、内針部２の金属製注射針２２の先端が患者の静脈血管内に到達すると、血液が逆流して、金属製注射針２２の内部を通って、軸部２１の中空部２１２に到達する。軸部２１やケース部３を透明な材料で構成すると、医師や看護人は目視によって逆流した血液を確認することができ、金属製注射針２２の先端が患者の静脈血管内に到達したことを間接的に確認することができる。また、軸部２１の中心軸方向の中央近くの外側面には、バネ４の一端４１と当接し支持する段差２１３が形成されている。また、軸部２１の後端面２１４は、バネ４の一端４１と当接している。
【００３１】
ケース部３は中空円筒状である。ケース部３の外側面に沿って移動する内針部移動部材９が取り付けられ、ケース部３のＬ字状の貫通溝３７を貫通して、内針部移動部材９は内針部２と結合している。
【００３２】
図１０は第３実施形態の留置針について、キャップを取り外し、内針部を突出位置とした状態を示す説明図であり、（ａ）は正面断面図であり、（ｂ）は平面断面図である。不図示のシールを破って、キャップ７を中心軸方向へ引張るとキャップ７が外れる。次に内針部移動部材９を指でつまんで、中心軸に沿って後端近くから前方方向に移動させる。すると、内針部２はケース部３の中を中心軸に沿って移動し、内針部２の金属注射針２２及び外針６がケース部３の中から外へ現れ、内針部移動部材９は中心軸方向のほぼ中央位置で、内針部移動部材９の板ばね部材の外面に取り付けた円柱状突起がケース部３のＬ字状の貫通溝３７の屈曲部近くに到達する。次に内針部移動部材９を円周方向に移動させ、円柱状突起をＬ字状の貫通溝の円周方向の部分へ案内してロック状態とする。同時にバネ４は伸び、収納位置に戻るように内針部２にバネ力が作用する。
【００３３】
使用後には、内針部移動部材９を円周方向に逆に回転し、円柱状突起がＬ字状の貫通溝の屈曲部近くの貫通孔に挿入され係合する位置に到り、自由状態とする。そして、レバー５のクリップ部５２をケース部の中心軸方向へ指で押すと、レバー５の連結部を支点として、わずかに回転し、レバー５の先端５１は円柱状突起を押して、円柱状突起と貫通孔との係合が解かれる。すると、バネ４のバネ力によって内針部２は自動的にケース部３の中へ引き込まれ、収納位置に戻る。
【００３４】
使用後の収納位置においては、内針部２の金属製注射針２２の先端は完全にケース部３の中に納まり、誤って針先を刺す危険がほとんどなくなる。さらに安全を期すために、キャップ７を再び被せることが好ましい。
【００３５】
以上、本発明に係る留置針の実施形態について説明してきたが、ケース部３の他端３４に、ピストンとシリンダ・ケースとからなる採血部を接続することによって、同様に、採血用器具の実施形態に変更することができる。
【００３６】
【発明の効果】
本発明に係る留置針及び採血用器具によれば、使用後に指先で押すなどの簡単な操作によって、内針部をケース部の中に収納され、内針部の針先がケース部の中に保持されるので、医師、歯科医師、看護人などの操作者が誤って針を刺したり、廃棄物処理者が誤って針を刺したりする事故は、ほとんど起きなくなり、血液感染病にかかる危険が大幅に減少するという効果が得られる。
【図面の簡単な説明】
【図１】第１実施形態の留置針の概略図であり、（ａ）は正面図であり、（ｂ）は側面図であり、（ｃ）は平面断面図である。
【図２】第１実施形態の留置針について、キャップを取り外した状態を示す説明図である。
【図３】第１実施形態の留置針について、外針を取り外した状態を示す説明図である。
【図４】第１実施形態の留置針について、使用後に内針部をケース部の中に収納した状態を示す説明図である。
【図５】第２実施形態の留置針について、未使用時状態を示す説明図であり、（ａ）は正面断面図であり、（ｂ）は側面図であり、（ｃ）は平面断面図である。
【図６】第２実施形態の留置針について、キャップを取り外し、内針部を突出位置とした状態を示す説明図である。
【図７】第２実施形態の留置針について、外針を取り外した状態を示す説明図である。
【図８】第２実施形態の留置針について、使用後に内針部をケース部の中に収納した状態を示す説明図である。
【図９】第３実施形態の留置針について、未使用時状態を示す説明図であり、（ａ）は正面断面図であり、（ｂ）は側面図であり、（ｃ）は平面断面図である。
【図１０】第３実施形態の留置針について、キャップを取り外し、内針部を突出位置とした状態を示す説明図であり、（ａ）は正面断面図であり、（ｂ）は平面断面図である。
【図１１】第１の従来の留置針の概略図である。（ａ）は全体概略図であり、（ｂ）は患者の静脈血管に刺し込んだ後に、外針（キャセーター）６を留置し、内針部２を抜き去った状態を示す説明図であり、（ｃ）はスライドシャッター８を側方へ最後まで押し込むことを示す使用説明図であり、（ｄ）はその後に、ゆっくりとケース部３を起こし垂直とし、内針部２をケース内に落下させることを示す使用説明図であり、（ｅ）は内針部２がケース部３の内に収納されたことを確認する説明図であり、（ｆ）はスライドシャッター８を逆方向へ押し込み、ケース部３を密閉することを示す使用説明図である。
【図１２】第２の従来の留置針の概略図である。（ａ）は使用前の全体概略図であり、（ｂ）は患者の静脈血管に刺し込んだ後に、外針（キャセーター）のみを留置し、内針を抜き去り、内針のカバー部を螺合部に対して回転し、ねじ止めを緩めることを示す説明図であり、（ｃ）はカバー部と螺合部との螺合を完全に解除した後に、カバー部を順々にスライドさせ、伸ばして、内針の針部をカバー部の内部に完全に収納した状態を示す説明図である。
【符号の説明】
１　留置針
２　内針部
２１　軸部
２１１　一端
２１２　中空部
２１３　段差
２１４　他端
２１５　フィルター
２１６　係合弾性片
２１７　自由端
２２　金属製注射針
３　ケース部
３１　嵌合孔
３２　一端
３３　段差
３４　他端
３５　底
３６　貫通孔
３７　貫通溝
３８　係合穴
４　バネ
４１　一端
４２　他端
５　レバー
５１　先端
５２　クリップ部
５３　連結部
６　外針（キャセーター）
６１　チューブ針
７　キャップ
８　スライドシャッター
９　内針部移動部材
９０　カバー部
９１　カバー部
【図１】
2004049607.tif 000003
【図２】
2004049607.tif 000004
【図３】
2004049607.tif 000005
【図４】
2004049607.tif 000006
【図５】
2004049607.tif 000007
【図６】
2004049607.tif 000008
【図７】
2004049607.tif 000009
【図８】
2004049607.tif 000010
【図９】
2004049607.tif 000011
【図１０】
2004049607.tif 000012
【図１１】
2004049607.tif 000013
【図１２】
2004049607.tif 000014